(57)【要約】【課題】盗難や漏出から保護すべき個人情報等の情報を格納した情報装置において、簡易でかつ安全な構成で、情報の漏出や盗難を防ぐことのできる情報装置を提供する。【解決手段】筐体４と、筐体４内に配置され、筐体４内の所定の面までの距離を測定する距離測定部３と、距離測定部３で測定された距離が、あらかじめ設定した閾値の範囲外である場合に異常信号を発生する異常信号発生部とを備えた情報装置１０を提供する。【選択図】  図１
2004247554.tif 000002
【特許請求の範囲】
【請求項１】
筐体と、前記筐体内に配置され、前記筐体内の所定の面までの距離を測定する距離測定部と、
前記距離測定部で測定された距離が、あらかじめ設定した閾値の範囲外である場合に異常信号を発生する異常信号発生部とを備えたことを特徴とする情報装置。
【請求項２】
筐体と、前記筐体に取り付けられ、窓部を有する蓋部と、
前記筐体内に配置され、前記窓部を通して前記筐体の外部の物体との間の距離を光線または音波によって測定する距離測定部と、
前記蓋部が開けられた場合に、前記距離測定部から出力された光線または音波を遮断するように配置された遮断部と、
前記遮断部の有無によって前記距離測定部で測定された距離が変動した場合に異常信号を発生する異常信号発生部とを備えたことを特徴とする情報装置。
【請求項３】
前記蓋部に、前記蓋部と連動して、前記蓋部が閉められている場合に前記遮断部の動作を制止し、前記蓋部が開けられた場合に前記遮断部の動作の制止を解除して、前記遮断部を前記距離測定部から出力される光線または音波を遮断するように配置する制止部を備えたことを特徴とする請求項２に記載の情報装置。
【請求項４】
筐体と、前記筐体に取り付けられ、窓部を有する蓋部と、
前記筐体内に配置され、前記窓部を通して前記筐体の外部の物体との距離を光線または音波によって測定する距離測定部と、
前記蓋部に設けられ、前記蓋部が閉められている場合に、前記距離測定部から出力された光線または音波を反射する位置に設けられ、前記蓋部が開けられた場合には、前記蓋部と連動して、前記距離測定部から出力された光線または音波を反射しない位置に移動する反射部と、
前記反射部の移動によって前記距離測定部で測定された距離が変動した場合に異常信号を発生する異常信号発生部とを備えたことを特徴とする情報装置。
【請求項５】
前記異常信号発生部から発生される前記異常信号によって液体を噴出する液体噴出部を備えたことを特徴とする請求項１から請求項４までのいずれか１項に記載の情報装置。
【請求項６】
前記液体噴出部は、前記筐体内の回路基板上に前記液体を噴出することを特徴とする請求項５に記載の情報装置。
【請求項７】
前記液体が、導電性を有する塗料であることを特徴とする請求項６に記載の情報装置。
【請求項８】
前記筐体内に、前記異常信号発生部に電力を供給する電力供給部を備え、
前記筐体外部からの前記異常信号発生部に対する電力供給が遮断された場合には、前記電力供給部から前記異常信号発生部に電力が供給されることを特徴とする請求項１から請求項７までのいずれか１項に記載の情報装置。
【請求項９】
前記異常信号発生部に接続され、情報を記憶する記憶部を備え、
前記異常信号発生部から発生された前記異常信号にもとづいて、前記記憶部は記憶された前記情報を消去することを特徴とする請求項１から請求項８までのいずれか１項に記載の情報装置。
【発明の詳細な説明】
【０００１】
【発明の属する技術分野】
本発明は、盗難や漏出から保護すべき個人情報等の情報を格納した情報装置に関する。
【０００２】
【従来の技術】
近年、個人情報等の重要な情報を、その内部に格納した情報装置が普及している。このような情報装置の例としては、個人の電話番号やメールアドレス等の情報を格納した携帯電話装置やパーソナルコンピュータ、個人の認証を行うための、例えば指紋パターンや虹彩パターン等に関するバイオメトリクス情報や、パスワード等の認証情報を格納した認証装置等が挙げられる。
【０００３】
このような情報装置においては、不正な者が情報装置をこじ開けて重要な情報を盗む等の行為（以下、タンパ行為と記す）をいかにして防ぐかが大きな課題となっており、この課題を解決するために様々な技術が提案されてきた。
【０００４】
例えば、情報装置の筐体内部に細かな導電パターンを形成し、常時通電しておくことにより、外部から筐体のこじ開け等が行われた場合には、導電パターンが破損され、修復不能となることにより異常検知信号を出力する技術が提案されている（例えば、特許文献１参照。）。
【０００５】
【特許文献１】
特開２０００−１５０６８５号公報
【０００６】
【発明が解決しようとする課題】
しかしながら、前述のような情報装置においては、以下のような課題があった。
【０００７】
すなわち、情報装置を構成する筐体内面の全体に亘って細かい導電パターンを形成することは、装置の加工が大変面倒になると共に、導電パターンに常時通電しておく構成であるので、消費電力がかかりすぎる、筐体内部に埃等が存在した場合に、それによって導電パターン間でショートしてしまうおそれがある等の課題があった。
【０００８】
本発明は、このような課題に鑑み、簡易でかつ安全な構成で、情報の漏出や盗難を防ぐことのできる情報装置を提供することを目的とする。
【０００９】
【課題を解決するための手段】
本発明の情報装置は、筐体と、筐体内に配置され、筐体内の所定の面までの距離を測定する距離測定部と、距離測定部で測定された距離が、あらかじめ設定した閾値の範囲外である場合に異常信号を発生する異常信号発生部とを備えたことを特徴としている。
【００１０】
このような構成により、筐体内部に距離測定部を設けて所定の面までの距離を測定するという極めて簡易な構成によって、筐体の一部、例えば扉部や蓋部等が開けられた場合に、異常信号を発生する構成を実現できる。
【００１１】
次に、本発明の情報装置は、筐体と、筐体に取り付けられ、窓部を有する蓋部と、筐体内に配置され、窓部を通して筐体の外部の物体との間の距離を光線または音波によって測定する距離測定部と、蓋部が開けられた場合に、距離測定部から出力された光線または音波を遮断するように配置された遮断部と、遮断部の有無によって距離測定部で測定された距離が変動した場合に異常信号を発生する異常信号発生部とを備えたことを特徴としている。
【００１２】
このような構成によっても、筐体内部に設けされた距離測定部が、通常は筐体外部の任意の物体までの距離を測定し、蓋部が開けられた場合には、遮断部が距離測定部から出力される光線または音波を遮断するので、距離測定部からの出力が変動する。この変動を検知するという簡易な構成によって、蓋部等が開けられた場合に、異常信号を発生する構成を実現できる。
【００１３】
また、蓋部に、蓋部と連動して、蓋部が閉められている場合に遮断部の動作を制止し、蓋部が開けられた場合に遮断部の動作の制止を解除して、遮断部を距離測定部から出力される光線または音波を遮断するように配置する制止部を備えた構成により、蓋部に制止部を形成するという簡易な構成で蓋部が開けられた場合に、異常信号を発生する構成を実現できる。
【００１４】
次に、本発明の情報装置は、筐体と、筐体に取り付けられ、窓部を有する蓋部と、筐体内に配置され、窓部を通して筐体の外部の物体との距離を光線または音波によって測定する距離測定部と、蓋部に設けられ、蓋部が閉められている場合に、距離測定部から出力された光線または音波を反射する位置に設けられ、蓋部が開けられた場合には、蓋部と連動して、距離測定部から出力された光線または音波を反射しない位置に移動する反射部と、反射部の移動によって距離測定部で測定された距離が変動した場合に異常信号を発生する異常信号発生部とを備えたことを特徴としている。
【００１５】
このような構成によっても、蓋部に反射部を連動するように構成するという簡易な構成で蓋部が開けられた場合に、異常信号を発生する構成を実現できる。
【００１６】
さらに、異常信号発生部から発生される異常信号によって液体を噴出する液体噴出部を備えた構成により、不正な者によって筐体がこじ開けられた痕跡が残ると共に、不正な者に対して、それ以上のタンパ行為が行えないよう、心理的に威嚇することができる。
【００１７】
また、液体噴出部が、筐体内の回路基板上に液体を噴出する構成により、回路基板を不正な者がそれ以上不正使用できないようにすることができる。
【００１８】
さらに、液体が、導電性を有する塗料である構成によれば、最も有効に回路基板や、記憶手段に記憶された情報の読み出しを不可能にすることができる。
【００１９】
さらに、筐体内に、異常信号発生部に電力を供給する電力供給部を備え、筐体外部からの異常信号発生部に対する電力供給が遮断された場合には、電力供給部から異常信号発生部に電力が供給される構成によれば、不正な者がまず装置への電源ケーブルを切断する等して、電源供給を停止させた場合にも、異常信号発生等の動作を行うことが可能となる。
【００２０】
また、異常信号発生部に接続され、情報を記憶する記憶部を備え、異常信号発生部から発生された異常信号にもとづいて、記憶部は記憶された情報を消去する構成であることにより、最も情報の漏出や盗難を防止することができる情報装置構成を実現できる。
【００２１】
【発明の実施の形態】
以下、本発明の実施の形態として、本発明の情報装置について、図面を用いて説明する。
【００２２】
（第１の実施の形態）
図１は、本発明の第１の実施の形態における情報装置の構成を示すブロック図である。
【００２３】
本発明の情報装置１０は、その筐体４の内部に、保護すべき情報が格納された記憶部１、後述する所定の位置までの距離を測定してその距離情報を出力する距離測定部３、記憶部１および距離測定部３に接続され、距離測定部３からの距離情報を検知し、距離情報が所定範囲以上変動した場合に異常信号を出力する制御部２、制御部２に接続され、制御部２が発生する異常信号を検知したときに、警報を発生する警報発生部８、ならびに、制御部２および警報発生部８に電力を供給する電力供給部５を備えている。
【００２４】
また、筐体４の外部からは、電力供給口６を介して、制御部２および電力供給部５（電力供給部５として二次電池を用いた場合）に駆動のための電力が供給されている。
【００２５】
なお、筐体４の材質や形状等を本発明は何ら限定するものではない。
【００２６】
また、距離測定部３としては、所定の物体までの距離を測定することのできるセンサであればその距離測定方式を限定するものではないが、例えば、赤外線や超音波等を用いる公知の測距センサを用いることができる。
【００２７】
また、本発明は、記憶部１については、情報の記憶および消去が可能なものであれば、その種類を何ら限定するものではなく、ＲＡＭ（ランダムアクセスメモリ）、フラッシュメモリ、およびＨＤＤ（ハードディスクドライブ）等のディスク装置等、各種の公知の記憶媒体を用いることができる。
【００２８】
さらに、警報発生部８は、警報を音声で発生するものが周囲の注意を集めやすいという意味で望ましいが、光等を用いて周囲に知らせるものであってもよい。
【００２９】
また、電力供給部５としては、公知の一次電池または二次電池を用いることが可能である。図１に示したように、電力供給部５として充電可能な二次電池を用いて、通常は電力供給部５も外部から電力供給を受けて充電されている構成であってもよい。
【００３０】
なお、情報装置１０に電力供給部５がある構成の方が、筐体４をこじ開ける前に外部から供給される電源を遮断されるような場合にも、電力供給部５から制御部２等に電力を供給して、より確実な情報保護を行うことが可能である。
【００３１】
次に、本発明の情報装置における距離測定部３の構成について説明する。図２は、本発明の第１の実施の形態における距離測定部３の構成および動作について示すための図である。
【００３２】
図２（ａ）は、蓋部２１が閉じられた通常の状態を示し、図２（ｂ）は、不正な者によって、蓋部２１がこじ開けられた状態を示している。
【００３３】
本発明の第１の実施の形態における距離測定部３には、前述した公知の赤外線や超音波センサ等を用いる。
【００３４】
距離測定部３は、通常の状態では、図２（ａ）に示すように、その蓋部２１が設けられた面と対向する、筐体４の一面に設置されている。このため、距離測定部３は、通常の状態では蓋部２１までの距離を測定していることになる。
【００３５】
このとき、距離測定部３による測距動作は、連続的に行われる構成であってもよいし、間欠的に一定時間毎に行われる構成であってよい。このような構成とすることで、通常の状態においては距離測定部３からの距離値の出力は、図示した距離Ａに対応した値となる。
【００３６】
不正な者が蓋部２１をこじ開けた場合には、図２（ｂ）に示したように、距離測定部３から蓋部２１までの距離Ｂが変化し、本来の距離Ａと異なる値となる。よって、距離測定部３は、距離Ａとは異なる距離Ｂに対応した距離情報を制御部２に送信することになる。
【００３７】
制御部２では、正常な状態での距離Ａとは異なる距離Ｂの情報が検知されると、タンパ行為が発生したと判断して、異常信号を記憶部１に出力する。
【００３８】
記憶部１は制御部２からの異常信号を受けて、記憶していた個人情報等の重要な情報を消去する。このとき、記憶部１では、あらかじめ定められた重要な情報のみを選択的に消去する構成であってもよいし、記憶されているすべての情報の消去を行う構成であってもよい。さらに、このとき、制御部２から警報発生部８に対して警報を発生するように指示を行う構成であることが実用的には望ましい。
【００３９】
以上述べたように、本発明の第１の実施の形態の情報装置１０を用いれば、外部から情報装置１０の筐体４をこじ開けられたときにも、そのようなタンパ行為を検知し、迅速に記憶部１に記憶された重要な情報を消去して盗難防止できると共に、警報を発生することにより、周囲に報知することができる。
【００４０】
図１に戻って、本発明の第１の実施の形態の情報装置１０によれば、電線が遮断された場合、制御部２は、外部から電力が供給されていないことを検知すると、電力供給部５から電力供給を受けるように構成されている。このような構成により、本発明の第１の実施の形態の情報装置１０によれば、あらかじめ情報を取り出そうとする不正な者が、前もって警報装置等の動作を停止させるために外部から情報装置１０に電力を供給する電線を遮断するような場合にも、内部に格納された重要な情報を盗難から保護することが可能である。
【００４１】
なお、図示しないが、電力供給部５は、警報発生部８および記憶部１にも電力を供給する構成であってもよい。このように構成することにより、警報発生部８は外部から電力を供給されずとも警報を発生し、記憶部１は記憶された情報を消去することも可能となる。
【００４２】
また、警報発生部８を筐体４の外部に設け、制御部２からの異常信号が筐体４外部へ送出されて、その結果、筐体４外部に設けられた警報発生部８や、情報装置１０と接続された端末等が警報を発生する構成であってもよい。
【００４３】
なお、本発明は、筐体４内に距離測定部３が設けられる数を限定するものではなく、複数個の距離測定部３が設けられた構成であってもよいことはいうまでもない。このような構成とすることにより、筐体４を構成する面のうち、タンパ検知できる面を多くすることができるので、蓋部２１のどの位置に対して機械的なタンパ行為が行われた場合にも検知することができる、高いセキュリティ性を有する情報装置を実現できる。
【００４４】
（第２の実施の形態）
次に、本発明の第２の実施の形態として、本発明の情報装置の別の一例を示す。
【００４５】
図３は本発明の第２の実施の形態における情報装置の構成を示す図である。そして、図３（ａ）はその斜視図であり、図３（ｂ）はその蓋部が閉められている通常状態を示す断面図であり、図３（ｃ）はその蓋部が開けられた状態、すなわち、タンパ行為が行われたとみなされる状態を示す断面図である。
【００４６】
本発明の第２の実施の形態の情報装置５０は、図１に示した第１の実施の形態の情報装置１０の構成と基本的には共通している。
【００４７】
しかしながら、本発明の第２の実施の形態における情報装置５０は、第１の実施の形態における情報装置１０と比較して、情報装置１０内における距離測定部３の配置および蓋部７１の構成が異なる。
【００４８】
本発明の第２の実施の形態の情報装置５０においては、図３（ａ）に示したように、蓋部７１にＵ字状にスリットを形成し、この舌片状部分を内側へ折り曲げることで窓部５２を形成し、かつ折り曲げた部分の表面を鏡面状に仕上げて反射部５１とした。なお、ここで鏡面とは、距離測定部３から発生する光線や音波を所定の方向へ反射させるのに十分に平滑な表面状態の面をいう。また、反射部５１の形状は、図３（ａ）に示したような矩形に限定されず、例えば半円形や半楕円形等であってもよい。
【００４９】
図３（ｂ）に示したように、距離測定部３は、筐体４内部の下面に搭載されており、距離測定部３から発せられた赤外線または超音波等は、前述した反射部５１によって反射され、窓部５２を通って情報装置５０の外側へ送出され、情報装置５０外部の物体からの反射光または反射音波等としてその一部が距離測定部３に戻ってくる。
【００５０】
一方、図３（ｃ）に示したように、蓋部７１が開けられた状態、すなわちタンパ行為がなされたとみなされた場合には、反射部５１が蓋部７１と一体であるので、距離測定部３からの赤外線または超音波等は筐体４内の他の一面で反射する。よって、距離測定部３は、筐体４内の対向する面との距離の値を測定することになり、距離測定部３からの出力値は、図３（ｂ）に示したような通常時と、図３（ｃ）に示したようなタンパ行為検知時とで大きく異なることとなり、この変動を検知して、制御部２は異常信号を出力する。なお、本発明の第２の実施の形態の情報装置５０においては、タンパ行為検知時の距離測定部３からの出力が一定値になるので、距離測定部３からの出力値があらかじめ設定した一定値になったことを検知して、制御部２が異常信号を出力する構成であってもよい。
【００５１】
なお、図３（ｂ）および図３（ｃ）に示したように、筐体４の上面にあらかじめダミー部材５６を配置しておき、図３（ｃ）に示したようなタンパ行為検知時には、常に一定の距離、すなわちダミー部材５６の部材までの距離値が距離測定部３から出力される構成としてもよい。このような構成とすることで、図３（ｂ）に示したような通常時における距離測定部３からの出力値よりも、タンパ行為検知時における距離測定部３からの出力値が小さくなる構成を実現できる。なお、ダミー部材５６は、距離測定部３から出力される光線や音波等を距離測定部３の方向に反射するように構成すれば、その材料等を限定されない。
【００５２】
このような情報装置５０の構成は、その構成中に距離測定センサを有する情報装置、例えば、特開平１０−１３７２２３号公報、特開平１０−２６８３７２号公報および特開２００１−２１５１０９号公報等に記載された、被認証者の目の周辺画像を取得して得た虹彩情報にもとづいて本人認証を行う認証装置等に用いると、既に搭載されている距離測定センサを、その配置を変更することによって距離測定部３として用いることが可能となり、簡易にセキュリティ性の高い構成を実現できる。
【００５３】
なお、本発明の第２の実施の形態における情報装置５０においては、反射部５１を、蓋部７１の一部に切溝を設けて筐体４内部の方向へ折り曲げることによって形成したが、本発明の情報装置はこの構成に限定されるものではない。すなわち、距離測定部３からの光線を筐体４外部へ折り曲げる作用を有するように形成され、かつ、蓋部７１と一体に設けられているものは、すべて本発明の情報装置の反射部に含まれることはいうまでもない。
【００５４】
さらに、本発明の第２の実施の形態における情報装置５０においては、距離測定部３の配置される位置を、筐体４内部の下面としたが、本発明はこの位置を何ら限定するものではなく、例えば、筐体４内部の上面や側面等に配置してもよいことはいうまでもない。
【００５５】
なお、本発明の第２の実施の形態に示した情報装置５０においては、窓部５２を通して、反射部５１を用いて赤外線または超音波等を送受する例を示したが、本発明の情報装置における窓部の構成はこれに限定されるものではない。例えば、蓋部７１の窓部５２が、距離測定部３から発せられる光線や音波の波長成分を選択的に透過する材料で構成された構成であってもよいことはいうまでもない。
【００５６】
（第３の実施の形態）
次に、本発明の第３の実施の形態として、本発明の情報装置のさらに別の一例を示す。
【００５７】
図４は、本発明の第３の実施の形態における情報装置６０の構成を示す図である。また、図４（ａ）はその蓋部８１が閉められた通常状態を示す斜視図であり、図４（ｂ）は通常状態を示す断面図である。さらに、図４（ｃ）はその蓋部８１が開けられた状態、すなわち、タンパ行為が行われたとみなされる状態を示す斜視図であり、図４（ｄ）はその断面図である。
【００５８】
本発明の第３の実施の形態の情報装置６０は、図１に示した本発明の第１の実施の形態の情報装置１０の構成と基本的には共通している。
【００５９】
しかしながら、本発明の第３の実施の形態における情報装置６０は、第１の実施の形態における情報装置１０と比較して、蓋部８１の構成および筐体４内部の構成が異なる。
【００６０】
本発明の第３の実施の形態の情報装置６０においては、図４（ａ）に示したように、蓋部８１の所定の部分を切りとって窓部５２を形成している。さらに、図４（ｂ）に示したように、距離測定部３は、筐体４内部の蓋部８１に対向する面に搭載されており、通常の状態においては、距離測定部３から発生された赤外線や超音波等は、蓋部８１の窓部５２を通って情報装置６０の外側との距離を測定している。
【００６１】
さらに、本発明の第３の実施の形態の情報装置６０においては、その筐体４の内部に、軸部５３によって回動自在に支持された、シャッタ部５４が構成されている。軸部５３は、筐体４内部の側面に取り付けられており、シャッタ部５４は、通常の状態においては、図４（ｂ）に示すように、蓋部８１に当接した状態に支持されている。
【００６２】
このような構成とすることで、筐体４から蓋部８１が取り外されて、タンパ行為が行われたとみなされる状態においては、図４（ｃ）および図４（ｄ）に示すように、シャッタ部５４が重力の作用によって、回動して、距離測定部３からの出力を遮る。
【００６３】
このような構成により、距離測定部３からの距離の出力は、通常状態では筐体４外部の任意の物体との距離となり、タンパ行為が行われたとみなされる場合にはシャッタ部５４との距離が出力されることとなる。
【００６４】
よって、距離測定部３からの出力値は、図４（ａ）および図４（ｂ）に示したような通常状態と、図４（ｃ）および図４（ｄ）に示したようなタンパ行為検知時とで大きく異なることとなり、この差を検知して、制御部２は、異常信号を出力する。なお、本発明の第３の実施の形態の情報装置６０においては、タンパ行為検知時の距離測定部３からの出力が一定値になるので、距離測定部３からの出力値が一定値、すなわちシャッタ部５４までの距離になったことを検知して、制御部２が異常信号を出力する構成であってもよい。
【００６５】
このような情報装置６０の構成も、本発明の第２の実施の形態で説明した情報装置５０と同様に、虹彩認証装置等の、その構成中に距離測定センサをもともと有する情報装置に用いると、既に搭載された距離測定センサを用いて、筐体４内部の構成を変更することにより、簡易にセキュリティ性の高い構成が実現できる。
【００６６】
なお、本発明の第３の実施の形態における情報装置６０においては、シャッタ部５４は、軸部５３を中心に回動自在に支持されている例を示したが、本発明の情報装置はこれに限定されない。次に、シャッタ部５４を用いたさらに別の情報装置の構成例を示す。
【００６７】
図５は本発明の第３の実施の形態における情報装置の別の一例の構成を示す図であり、図５（ａ）はその蓋部８１が閉められた通常状態を示す斜視図であり、図５（ｂ）はその断面図である。また、図５（ｃ）はその蓋部８１が開けられた状態、すなわち、タンパ行為が行われたとみなされる状態を示す斜視図であり、図５（ｄ）はその断面図である。
【００６８】
本発明の第３の実施の形態における情報装置７０においては、図５（ａ）に示したように、蓋部８１の所定の部分が切除されて窓部５２が形成されていることは前述の情報装置６０と同様である。
【００６９】
また、本発明の第３の実施の形態における情報装置７０においては、図５（ｂ）、図５（ｃ）および図５（ｄ）に示したように、シャッタ部５４は、筐体８４の内部に設けられた溝部５５に沿って、筐体８４の内部を上下方向に上下動可能に構成されている。シャッタ部５４は、通常の状態においては、図５（ｂ）に示すように、蓋部８１に構成された制止部９２に当接して停止した状態に構成されている。
【００７０】
このような構成とすることで、蓋部８１が開けられて、タンパ行為が行われたとみなされる状態においては、図５（ｃ）および図５（ｄ）に示すように、制止部９２が蓋部８１と共に筐体８４から離間するので、シャッタ部５４が重力の作用によって、溝部５５に沿って落下し、距離測定部３からの赤外線や超音波等の経路を遮る。
【００７１】
このような構成により、距離測定部３からの距離の出力は、通常の状態では筐体４外部の所定の物体との距離となり、タンパ行為が行われたとみなされる場合にはシャッタ部５４との距離が出力されることとなる。
【００７２】
このように、距離測定部３からの出力値は、図５（ａ）および図５（ｂ）に示したような通常状態と、図５（ｃ）および図５（ｄ）に示したようなタンパ行為検知時とで大きく異なることとなり、この差が所定の値、例えば測定誤差による変動幅よりも大きくなったことを検知して、制御部２は異常信号を出力する。なお、本発明の第３の実施の形態の情報装置７０においては、タンパ行為検知時の距離測定部３からの出力が一定値、すなわちシャッタ部５４までの距離値になるので、距離測定部３からの出力値が一定値になったことを検知して、制御部２が異常信号を出力する構成であってもよい。
【００７３】
このような情報装置７０の構成も、本発明の第２の実施の形態で説明した情報装置５０と同様に、その構成中に距離測定センサを有する虹彩認証装置等の情報装置に用いると、既に搭載された距離測定センサを用いて、筐体４内部の構成を変更することにより、簡易にセキュリティ性の高い構成が実現できる。
【００７４】
なお、本発明の第３の実施の形態に示した情報装置６０および情報装置７０においては、窓部５２を蓋部８１の切断により形成した例を示したが、本発明の情報装置における窓部の構成はこれに限定されるものではないことはいうまでもない。例えば、窓部５２が、距離測定部３から発せられる光線や音波の波長成分を選択的に透過する材料で構成されている構成であってもよいことはいうまでもない。
【００７５】
（第４の実施の形態）
次に、本発明の第４の実施の形態として、本発明の情報装置のさらに別の構成を示す。
【００７６】
図６は、本発明の第４の実施の形態における情報装置３０の構成の一例を示すブロック図である。
【００７７】
本発明の第４の実施の形態の情報装置３０が第１の実施の形態に示した情報装置１０と異なる点は、警報発生部８の代わりに、液体噴出部９を備えている点である。
【００７８】
なお、他の構成要件については、同一の機能を有する構成要件に同一の符号を付し、説明を省略する。
【００７９】
液体噴出部９は、制御部２から異常信号を検知すると、あらかじめ加圧された液体を筐体４内部に噴出する。これにより、情報装置３０は使用不可能になり、不正な者が情報を盗むことができなくなると共に、タンパ行為の痕跡が残ることで、不正行為の有無が後ほど容易に判別できる。
【００８０】
図７に、本発明の第４の実施の形態の情報装置３０の液体噴出部９の構成の一例を示す。液体噴出部９は、液体を蓄積するタンクである液体蓄積部１９および液体蓄積部１９の端部に設けられた開閉可能な弁である開閉弁１８からなる。
【００８１】
制御部２より異常信号が出力された場合、開閉弁１８は開放されて、液体蓄積部１９から液体が噴出される。液体の噴出は、筐体４内部の電気回路が構成された回路基板３１上に対して行われるように開閉弁１８を配置することが望ましい。
【００８２】
なお、この液体蓄積部１９に蓄積すべき液体は、導電性を有する濡れ性の高い塗料、例えば、粘度の低い塗料に導電性の高い金属粉を混入したものを用いることが実用性の観点からみて望ましい。
【００８３】
なお、液体噴出部９は、必ずしも回路基板３１上に液体を噴出する構成に限定されず、例えば、筐体４内部の全体に液体を噴出する構成であってもよいことはいうまでもない。
【００８４】
さらに、図８（ａ）は本発明の第４の実施の形態における情報装置の液体噴出部の別の一例を示す正面図であり、図８（ｂ）は、図８（ｂ）のＡＡ面に沿って切断した場合の断面図であるが、図８（ａ）および図８（ｂ）に示した情報装置３２（蓋部が取り外された筐体の構成の図）のように、液体噴出部９９を筐体４の内側の壁面の周縁に沿って配置し、高圧で封入された液体を蓋部をこじ開けようとした者に対して噴出する構成であってもよいことはいうまでもない。
【００８５】
【発明の効果】
以上述べたように、本発明の情報装置を用いれば、距離測定部として、距離測定センサを用いて筐体内部の所定の面までの距離を測定するという簡易な方法で、保護すべき情報の漏出や盗難を防止し、高いセキュリティ性を実現できる。
【図面の簡単な説明】
【図１】本発明の第１の実施の形態における情報装置の構成を示すブロック図
【図２】（ａ）は本発明の第１の実施の形態における情報装置の筐体に蓋部が取り付けられた通常の状態の構成を示す図
（ｂ）は本発明の第１の実施の形態における情報装置の蓋部が取り外された状態の構成を示す図
【図３】（ａ）は本発明の第２の実施の形態における情報装置の構成を示す斜視図
（ｂ）は本発明の第２の実施の形態における情報装置の蓋部が筐体に取り付けられた通常状態を示す断面図
（ｃ）は本発明の第２の実施の形態における情報装置の蓋部が筐体から取り外された状態を示す断面図
【図４】（ａ）は本発明の第３の実施の形態における情報装置の蓋部が筐体に取り付けられた通常状態を示す斜視図
（ｂ）は本発明の第３の実施の形態における情報装置の蓋部が筐体に取り付けられた通常状態を示す断面図
（ｃ）は本発明の第３の実施の形態における情報装置の蓋部が筐体から取り外された状態を示す斜視図
（ｄ）は本発明の第３の実施の形態における情報装置の蓋部が筐体から取り外された状態を示す断面図
【図５】（ａ）は本発明の第３の実施の形態における情報装置の別の一例の蓋部が筐体に取り付けられた通常状態を示す斜視図
（ｂ）は本発明の第３の実施の形態における情報装置の別の一例の蓋部が筐体に取り付けられた通常状態を示す断面図
（ｃ）は本発明の第３の実施の形態における情報装置の別の一例の蓋部が筐体から取り外された状態を示す斜視図
（ｄ）は本発明の第３の実施の形態における情報装置の別の一例の蓋部が筐体から取り外された状態を示す断面図
【図６】本発明の第４の実施の形態における情報装置の構成の一例を示すブロック図
【図７】本発明の第４の実施の形態における情報装置の液体噴出部の構成の一例を示す図
【図８】（ａ）は本発明の第４の実施の形態における情報装置の液体噴出部の別の構成を示す正面図
（ｂ）は本発明の第４の実施の形態における情報装置の液体噴出部の別の構成を示す断面図
【符号の説明】
１  記憶部
２  制御部
３  距離測定部
４，８４  筐体
５  電力供給部
６  電力供給口
８  警報発生部
９，９９  液体噴出部
１０，３０，３２，５０，６０，７０  情報装置
１８  開閉弁
１９  液体蓄積部
２１，７１，８１  蓋部
３１  回路基板
５１  反射部
５２  窓部
５３  軸部
５４  シャッタ部
５５  溝部
５６  ダミー部材
９２  制止部
【図１】
2004247554.tif 000003
【図２】
2004247554.tif 000004
【図３】
2004247554.tif 000005
【図４】
2004247554.tif 000006
【図５】
2004247554.tif 000007
【図６】
2004247554.tif 000008
【図７】
2004247554.tif 000009
【図８】
2004247554.tif 000010